(57)【要約】  モバイル通信装置において、通信が通信源から受信される。通信源に関連付けられる環境の種類の指示が得られ、通信源に関連付けられる環境の種類の指示がモバイル通信装置の現在の環境の種類と一致するかどうかに関してチェックがなされる。通信源に関連付けられる環境の種類の指示がモバイル通信装置の現在の環境の種類と一致する場合にのみ、通信の最初の通知（及びオプションとして残りの通知）が提示される。
2013505637.tif 000002
【特許請求の範囲】
【請求項１】
モバイル通信装置において実施される方法であって、
通信源から通信を受信するステップと、
前記通信源に関連付けられる環境の種類の指示を得るステップと、
前記通信源に関連付けられる環境の種類の指示が前記モバイル通信装置の現在の環境の種類と一致するかどうかをチェックするステップと、
前記通信源に関連付けられる環境の種類の指示が前記モバイル通信装置の現在の環境の種類と一致する場合にのみ、前記通信の最初の通知を提示するステップと
を含む方法。
【請求項２】
前記モバイル通信装置の現在の環境の種類は、前記モバイル通信装置の仕事／個人スイッチについてのユーザー選択によって示される請求項１に記載の方法。
【請求項３】
前記通信源に関連付けられる環境の種類の指示が前記モバイル通信装置の現在の環境の種類と一致する場合にのみ、前記通信の残りの通知を提示するステップをさらに含む請求項１に記載の方法。
【請求項４】
前記通信は音声通話を含む請求項１に記載の方法。
【請求項５】
前記通信源に関連付けられる環境の種類の指示を得るステップは、前記通信源の識別子に基づいて、前記モバイル通信装置のユーザーのリモート連絡先リストから前記通信源に関連付けられる環境の種類の指示を得るステップを含む請求項１に記載の方法。
【請求項６】
前記モバイル通信装置の現在の環境の種類は前記モバイル通信装置の現在時間に基づいて決定される請求項１に記載の方法。
【請求項７】
前記モバイル通信装置の現在の環境の種類は前記モバイル通信装置の現在の位置に基づいて決定される請求項１に記載の方法。
【請求項８】
前記現在の環境の種類は個人であり、前記通信源に関連付けられる環境の種類の指示が個人又は両方のいずれかである場合に前記通信源に関連付けられる環境の種類の指示が前記モバイル通信装置の現在の環境の種類と一致する請求項１に記載の方法。
【請求項９】
前記現在の環境の種類が仕事であり、前記通信源に関連付けられる環境の種類の指示が仕事又は両方のいずれかである場合に前記通信源に関連付けられる環境の種類の指示が前記モバイル通信装置の現在の環境の種類と一致する請求項１に記載の方法。
【請求項１０】
前記通信源に関連付けられる環境の種類の指示が前記モバイル通信装置の現在の環境の種類と一致しない場合に、
前記通信の記録を保持するステップと、
前記通信源に関連付けられる環境の種類が前記モバイル通信装置の現在の環境の種類と一致すると、前記通信の残りの通知を続いて提示するステップと
をさらに含む請求項１に記載の方法。
【請求項１１】
前記モバイル通信装置の現在の環境の種類に基づいて、表示されるべき情報を識別するステップと、
前記識別された情報を表示するステップと
をさらに含む請求項１に記載の方法。
【請求項１２】
前記モバイル通信装置の現在の環境の種類に基づいて、情報が表示されるべき方法を識別するステップと、
前記識別された方法で前記情報を表示するステップと
をさらに含む請求項１に記載の方法。
【請求項１３】
モバイル通信装置であって、
前記モバイル通信装置が使用されている現在の環境の種類を識別する現在環境インジケーターと、
そこから通信を受信することができる複数の通信源を識別し、各通信源について前記通信源に関連付けられる環境の種類を識別する、連絡先リストと、
前記モバイル通信装置が使用されている現在の環境の種類及び通信が受信される前記通信源に関連付けられる環境の種類を得るために結合される決定モジュールであって、
前記モバイル通信装置が使用されている現在の環境の種類を前記通信が受信される前記通信源に関連付けられる環境の種類と比較し、
前記モバイル通信装置が使用されている現在の環境の種類が前記通信が受信される前記通信源に関連付けられる環境の種類と一致する場合にのみ、ユーザーインターフェース・モジュールが前記通信についての最初の通知を提示すべきであることを示す、
決定モジュールと
を備えるモバイル通信装置。
【請求項１４】
前記モバイル通信装置は仕事／個人スイッチをさらに含み、前記モバイル通信装置が使用されている現在の環境の種類が前記仕事／個人スイッチについてのユーザー選択によって示される請求項１３に記載のモバイル通信装置。
【請求項１５】
前記決定モジュールはさらに、前記通信源に関連付けられる環境の種類の指示が前記モバイル通信装置の現在の環境の種類と一致する場合にのみ、前記通信についての残りの通知を提示する請求項１３に記載のモバイル通信装置。
【発明の詳細な説明】
【技術分野】
【０００１】
本発明は、モバイル通信装置のためのユーザーが選択可能な環境に関する。
【背景技術】
【０００２】
[0001]無線電話などのモバイル通信装置はますますありふれたものとなった。これらの装置がよりありふれたものとなるにつれて、人々は、ますます、仕事及び自宅の両方においてなど、様々な異なる設定で同じ装置を使用するようになっている。
【発明の概要】
【発明が解決しようとする課題】
【０００３】
現在のモバイル通信装置は多くの利点をもたらすが、これらの異なる設定で同じ装置を使用することには問題がないわけではない。そのような１つの問題は、ユーザーが自宅にいるときに仕事の通信を受信することがあり、仕事をしているときに個人的な通信を受信することがあるということである。ユーザーは、自宅にいるときに仕事の通信によって邪魔をされることがあり、仕事をしているときに個人的な通信によって邪魔をされることがあるので、これは、ユーザーにとってフラストレーションや苛立ちにつながる。
【課題を解決するための手段】
【０００４】
[0002]この概要は詳細な説明においてさらに以下に述べられる概念のうちの選択されたものを単純化された形式で紹介するために提供される。この概要は、特許請求された主題の重要な特徴又は不可欠な特徴を識別するようには意図されず、特許請求された主題の範囲を限定するために使用されるようにも意図されない。
【０００５】
[0003]１つ又は複数の態様によれば、モバイル通信装置において、通信は送信元装置から受信される。通信源（communication source）に関連付けられる環境の種類の指示（indication of an environment type）が得られ、通信源に関連付けられる環境の種類の指示がモバイル通信装置の現在の環境の種類と一致するかどうかに関してチェックがなされる。通信源に関連付けられる環境の種類の指示がモバイル通信装置の現在の環境の種類と一致する場合にのみ、通信の最初の通知（initial notification）（及びオプションとして残りの通知（置き去り通知、leave-behind notification））が示される。
【０００６】
[0004]１つ又は複数の態様によれば、モバイル通信装置は、現在環境インジケーター、連絡先リスト（コンタクトリスト）及び決定モジュールを含む。現在環境インジケーターは、モバイル通信装置が使用されている現在の環境の種類を識別する。連絡先リストは、通信を受信することができ、各通信源について、通信源に関連付けられる環境の種類を識別する、複数の通信源（多重通信源）を識別する。決定モジュールはモバイル通信装置が使用されている現在の環境の種類、及び通信が受信される通信源に関連付けられる環境の種類を得るために結合される。決定モジュールはさらに、モバイル通信装置が使用されている現在の環境の種類を通信が受信される通信源に関連付けられる環境の種類と比較し、ユーザーインターフェース・モジュールが、モバイル通信装置が使用されている現在の環境の種類が通信が受信される通信源に関連付けられる環境の種類と一致する場合にのみ通信の最初の通知（及びオプションとして残された通知）を提示するものであることを示す。
【０００７】
[0005]同じ番号が図面の全体にわたって同様の特徴を参照するために使用される。
【図面の簡単な説明】
【０００８】
【図１】[0006]１つ又は複数の実施例によるモバイル通信装置のためのユーザーが選択可能な環境を実施する例示的なシステムを示す。
【図２】[0007]１つ又は複数の実施例による通知決定を生成する例示的なシステムを示すブロック図である。
【図３】[0008]１つ又は複数の実施例によるモバイル通信装置のためのユーザーが選択可能な環境を実施する例示的な処理を示すフローチャートである。
【図４】[0009]１つ又は複数の実施例によるモバイル通信装置のためのユーザーが選択可能な環境を実施する例示的な処理を示すフローチャートである。
【図５】[0010]１つ又は複数の実施例によるモバイル通信装置のためのユーザーが選択可能な環境を実施するように構成することができる例示的な装置を示す。
【発明を実施するための形態】
【０００９】
[0011]モバイル通信装置のためのユーザーが選択可能な環境が本明細書において説明される。モバイル通信装置は、個人及び仕事の環境などの異なる環境間でユーザーが選択することを可能にする。この選択は、「個人／仕事」の設定ボタン又はスイッチなどの、直接的なユーザー選択であってもよい。このボタン又はスイッチは、ハードウェアの物理的な一部であってもよいし、又は本来仮想的なもの（例えば、ソフトウェア「ボタン」）であってもよい。通信が装置によって受信される場合、通信源は装置の連絡先リストと比較される。連絡先リストは、通信源に関連付けられる環境の種類（例えば、仕事、個人、又はその両方の環境の種類を示す）を含む。装置の現在の環境の種類（例えば、個人又は仕事）が通信源に関連付けられ得る環境の種類と一致する場合、装置は通信についての可聴の通知を再生し、；そうでなければ、装置は、通信の可聴の通知を再生しない。
【００１０】
[0012]さらに、異なる環境間で選択を行うことは、結果的にモバイル通信装置に対する様々な他の変更をもたらし得る。これらの変更は、モバイル通信装置により表示される情報及び／又は変更が行われる方法に対する変更を含み得る。
【００１１】
[0013]図１は、１つ又は複数の実施例による、モバイル通信装置のためのユーザーが選択可能な環境を実施する例示的なシステム１００を示す。システム１００は、１つ又は複数（ｘ）の他の装置１０４（１）、．．．、１０４（ｘ）と通信することができるモバイル通信装置１０２を含む。モバイル通信装置は、通話、テキストメッセージ、他のコンテンツの種類を含むメッセージなどの通信を送受信することができる通信装置を指す。通信装置１０２は、通常、ユーザーによって移動させられて異なる位置において使用されるように設計されるので、モバイルと呼ばれる。モバイル通信装置１０２は、携帯電話、衛星電話、他の種類の無線電話、ハンドヘルドコンピューター、ラップトップコンピューター、携帯情報端末（ＰＤＡ）、音声及び／又は動画再生装置、携帯型ゲーム装置、自動車用のコンピューター、専用のメッセージ装置、ネットブックなどの様々な異なる種類の装置であってもよい。モバイル通信装置１０２が、通信呼を送受信することができることに加えて、カレンダー機能、音声及び／又は動画再生機能などの機能を含み得ることが理解されるべきである。
【００１２】
[0014]装置１０４は、モバイル通信装置１０２が通信を受信することができる様々な異なる種類の装置であってもよい。装置１０４はモバイル通信装置であってもよいがそうである必要はない。装置１０４は、モバイル通信装置１０２と同一の種類であるか又は代替的に異なる種類の装置であってもよい。
【００１３】
[0015]モバイル通信装置１０２は、通信モジュール１０６、通知モジュール１０８、入力モジュール１１０、ユーザーインターフェース（ＵＩ）モジュール１１２、画面１１４及び連絡先リスト１１６を含む。モジュール１０６、１０８、１１０及び１１２の各々は、ソフトウェア、ファームウェア、ハードウェア又はそれらの組み合わせで実施することができる。ソフトウェア又はファームウェアで実施される場合、モジュールは、モバイル通信装置１０２の１つ又は複数のプロセッサー又はコントローラーによって実行される１つ又は複数の命令を含む。
【００１４】
[0016]画面１１４はモバイル通信装置１０２の表示コンポーネントである。画面１１４は、液晶ディスプレイ（ＬＣＤ）技術、プラズマ画面技術、画像投影技術の使用などの、様々な異なる方法で実施することができる。代替的に、画面１１４を含むのではなく、モバイル通信装置１０２は、画面１１４を含む他の表示装置へと出力される１つ又は複数の信号を生成することができる。
【００１５】
[0017]通信モジュール１０６は、装置１０４から通信の受信及び装置１０４への通信の送信を管理する。モバイル通信装置１０２は、セルラー方式、衛星、無線ＬＡＮ及び／又は他の技術もしくはプロトコルなどの様々な異なる技術及びプロトコルを使用して、装置１０４と通信することができる。当該技術又はプロトコルは、無線及び／又は有線の技術及びプロトコルを含んでもよい。
【００１６】
[0018]通信モジュール１０６は、装置１０４との様々な異なる種類の通信をサポートする。通信モジュール１０６によって一般的によってサポートされる１つの種類の通信は音声通話である。これは、モバイル通信装置１０２によって開始される音声通話（例えば、電話の発信）のほか、別の装置１０４によって開始される音声通話（例えば、電話の着信）を含んでもよい。代替的に、モバイル通信装置１０２は、他の種類の通信をサポートすることができ、音声通話をサポートする必要はない。
【００１７】
[0019]通信モジュール１０６によってサポートされる別の種類の通信はメッセージであり、画像、動画、音声、いくつかの種類の媒体の組み合わせなどの他の種類の媒体によるテキストメッセージ又はメッセージを指す。１つ又は複数の実施例において、メッセージはショートメッセージサービス（ＳＭＳ）通信プロトコルに従う。１つ又は複数の他の実施例において、メッセージはマルチメディアメッセージサービス（ＭＭＳ）通信プロトコルに従う。ＳＭＳ及びＭＭＳが例示的なプロトコルにすぎず、他の通信プロトコルが代替的に使用できることが認識されるべきである。モバイルインスタントメッセージ（モバイルＩＭ）、電子メールなどの様々な他の種類の通信もまた、通信モジュール１０６によってサポートすることができる。
【００１８】
[0020]１つ又は複数の実施例において、通信モジュール１０６はまた、インターネット、ローカルエリアネットワーク（ＬＡＮ）、公衆電話網、イントラネット、セルラー又は他の無線電話ネットワーク、他の公衆及び／又は私有のネットワーク、それらの組み合わせを含む、様々な異なるネットワークを使用して、１つ又は複数のソーシャルネットワークサービスと通信することができる。通信モジュール１０６は、ソーシャルネットワークサービスを使用して、様々な個人又は他のエンティティに関するデータを得る。
【００１９】
[0021]入力モジュール１１０はモバイル通信装置１０２のユーザーからユーザー入力を受信する。ユーザー入力は、装置１０２のキーパッドもしくはキーボードのうちの１つ以上のキーを押したり、又は装置１０２のタッチパッドもしくはタッチスクリーンの特定の部分を押したりすることなどによって、様々な異なる方法で提供することができる。タッチスクリーン機能は、容量、表面弾性波、抵抗、光、歪みゲージ、分散信号、音響パルス又は他のタッチスクリーン技術などの様々な異なる技術を使用して提供することができる。ユーザー入力はまた、可聴の入力、装置への他の物理的なフィードバック入力（例えば、装置１０２の一部を軽くたたくこと、装置１０２を振ること、装置１０２を回転させることなどの装置１０２の動き検出コンポーネントによって認識することができる別の動作）などを介するなど、他の方法で提供することができる。
【００２０】
[0022]ＵＩモジュール１１２は、装置１０２による提示のためにユーザーインターフェースを生成し、管理し及び／又は出力する。この提示は、画面１１４上の表示、音声コンテンツ（例えば、着信音）を再生すること、装置１０２を物理的に動かすこと（例えば、振動させること）などを含んでもよい。ユーザーインターフェースは様々な情報を提示し、ユーザー入力は上述のように入力モジュール１１０によって受信することができる。
【００２１】
[0023]通知モジュール１０８は決定モジュール１２２及び現在環境インジケーター１２４を含む。決定モジュール１２２は、現在環境インジケーター１２４及び通信が受信される装置１０４の環境の種類に基づいて、装置１０２のユーザーに対して通信の通知を提示すべきかどうかを決定する。この決定はより詳細に以下に説明される。
【００２２】
[0024]現在環境インジケーター１２４は、モバイル通信装置１０２が使用されている現在の環境の種類を識別する。１つ又は複数の実施例において、現在の環境の種類は仕事環境又は個人的な（例えば、自宅）環境のいずれかである。代替的に、装置１０２のユーザーが他人に提示することを望む異なるペルソナ、異なる種類の個人環境（例えば、リラックスしており邪魔されることを望んでいないこと、一般的な余暇であって邪魔されてもよいこと）などの、他の環境の種類をサポートすることができる。
【００２３】
[0025]現在の環境の種類は装置１０２のユーザーによって設定され、入力モジュール１１０によって異なる方法で設定することができる。１つ又は複数の実施例において、モバイル通信装置１０２は、ユーザーが現在の環境の種類を設定することを可能にするユーザーが選択可能なスイッチを含む。このユーザーが選択可能なスイッチは装置１０２上の物理的なスイッチであってもよい。このユーザーが選択可能なスイッチは、代替的に、画面１１４に表示されたボタンもしくはキー（もしくはその一部）についてのユーザー選択、特定のジェスチャーの入力、又は上述のような他のユーザー入力によって選択される、ソフトウェアスイッチであってもよい。例えば、ユーザーが選択可能なスイッチは、仕事／個人（work/switch）スイッチとすることができ、ユーザーが現在の仕事の環境又は個人的な環境の種類を容易に選択することを可能にする。
【００２４】
[0026]他の実施例において、ユーザーは、ユーザーが選択可能なスイッチによってではなく他の方法で現在の環境の種類を設定することができる。例えば、ユーザーは、異なる環境に対応する、その日の特定の時間及び／又はその週の日を選択することができる（例えば、午後５時から午前８時まで装置１０２は個人環境で使用され、午前８時から午後５時まで装置１０２が仕事環境で使用される）。通知モジュール１０８又は代替的に装置１０２の別のモジュールは、装置１０２についてのこれらのユーザー選択及び現在時間に基づいて、装置１０２の現在時間を監視し、現在環境インジケーター１２４を更新することができる。
【００２５】
[0027]別の例として、ユーザーは、異なる環境に対応する特定の位置を選択することができる（例えば、装置１０２がある位置にいる場合に装置１０２が仕事環境で使用され、別の位置にいる場合に装置１０２が個人環境で使用される）。装置１０２の現在の位置は、装置１０２についてＧＰＳ（全地球測位システム）座標を得ること、セルラーシステム又は衛星電話システムから装置１０２の位置を得ることなどの、様々な異なる方法で決定することができる。ユーザーは、ＧＰＳ座標に変換される地図上の位置又は他の位置識別子を選択すること、装置１０２の現在の位置を選択すること、現在の位置についての特定の半径内の位置を選択させることなど、異なる方法で異なる環境に対応する特定の位置を選択することができる。
【００２６】
[0028]装置１０２の現在の位置を識別する情報が装置１０２によって長期間保持される必要がないことに留意されたい。装置１０２の現在の位置が一旦決定されると、装置１０２は情報を削除することができ、又は代替的に、装置１０２は、装置１０２が異なる位置に移動されてその異なる位置が決定された後に情報を削除することができる。さらに、装置１０２は、情報をローカルに使用し、現在の位置を識別する情報を安全に保持することができる−当該情報はいかなる他の装置又はサービスにも明かされる必要はない。１つ又は複数の実施例において、装置１０２のユーザーは、異なる環境を識別するために位置情報を使用することを選ぶことを選択することができ、又は代替的に、異なる環境を識別するために位置情報を使用することから手を引くことを選択することができる。したがって、異なる環境を識別するために決定された装置１０２の現在の位置を持たないことをユーザーが望む場合、ユーザーは、そのような現在の位置の情報を決定したり使用したりしないように装置１０２に容易に指示することができる。
【００２７】
[0029]連絡先リスト１１６は複数の通信源を識別し、その各々は通信を受信することができる通信源である。各通信源について、通信源の識別子及び通信源に関連付けられる環境の種類の指示を含むコンタクト情報が保持される。通信源の名前、通信源と通信するために使用することができる他の方法（例えば、アドレス又は電話番号）などの追加の連絡先（コンタクト情報）もまた含むことができる。
【００２８】
[0030]通信源（例えば、装置１０４）の識別子は様々な異なる形式をとることができる。１つ又は複数の実施例において、通信源である装置１０４の識別子は装置１０４のアドレスである。装置のアドレスは、例えば、装置の電話番号、装置の電子メールアドレス、装置のモバイルＩＭアドレスなどであってもよい。装置１０４のユーザー、装置１０４が購入される場合の再販業者などによる設定入力に応答してなど、そのようなアドレスは装置１０４へとプログラムすることができる。さらに、そのようなアドレスは、オプションとして、取り外し可能なカード又は異なる装置へ転送することができる他の記憶コンポーネント上に格納することができる。
【００２９】
[0031]代替的に、通信源（例えば、装置１０４）の識別子は装置１０４のユーザーの識別子であってもよい。ユーザーは、異なるユーザーが互いに識別されることを可能にする、異なるユーザー識別子に関連付けられる。これらのユーザー識別子は、ＧＵＩＤ（グローバル一意識別子）であってもよいし、又は代替的に他の識別子であってもよい。各ユーザーは、自分が使用する複数の異なる電話番号、電子メールアドレス、モバイルＩＭアドレス及び／又は他のアドレスを有することができる。これらのユーザーの異なる電話番号、電子メールアドレス、モバイルＩＭアドレス及び／又は他のアドレスは、そのユーザーのユーザー識別子に関連付けられる。したがって、通信がこれらの電話番号、電子メールアドレス、モバイルＩＭアドレス及び／又は他のアドレスのうちの１つから受信される場合、通信に関連付けられるユーザー識別子は、容易に決定することができ、通信源の識別子として使用することができる。
【００３０】
[0032]特定のユーザー識別子に関連付けられる異なる電話番号、電子メールアドレス、モバイルＩＭアドレス及び／又は他のアドレスは、様々な異なる方法で決定することができる。１つ又は複数の実施例において、通信源は、通信の一部として、モバイル通信装置１０２にユーザー識別子を提供する。他の実施例において、ユーザーのデータベースは、通信モジュール１０６（又は、代替的にモバイル通信装置１０２の別のモジュール）によってアクセスされる。このデータベースは、装置１０２によってローカルに保持されたデータベース（例えば、ローカルアドレス帳又は連絡先リスト）であってもよいし、又は代替的にリモート装置もしくはサービス上に保持することができる。データベースは各ユーザーについての異なる記録を含む。各記録は記録識別子を有し、また、ユーザーが使用する異なる電話番号、電子メールアドレス、モバイルＩＭアドレス及び／又は他のアドレスを含む。したがって、特定の電話番号又はアドレスを考慮すると、その電話番号又はアドレスを含む記録は容易に識別することができ、その記録についての記録識別子もまた容易に識別することができる。その後、記録識別子はそのユーザーのユーザー識別子として使用することができる。
【００３１】
[0033]通信源の識別子に加えて、連絡先リスト１１６中のコンタクト情報は、通信源に関連付けられる環境の種類を含む。通信源は、上述の現在の環境の種類と類似した、様々な異なる環境の種類のうちの１つ又は複数に関連付けられてもよい。１つ又は複数の実施例において、特定の通信源に関連付けられる環境の種類は、仕事、個人、又は両方の３つの種類のうちの１つである。
【００３２】
[0034]１つ又は複数の実施例において、各通信源はデフォルトの関連する環境の種類（例えば、両方の種類）を有する。関連する環境の種類は、ユーザーによる特定の要求によって変更することができる。例えば、ユーザーは、（例えば、特定のアドレス、ユーザー識別子などによって識別されるような）連絡先リスト１１６中の特定の連絡先が特定の関連する環境の種類を有するように、入力モジュール１１０を介して要求を入力することができる。これは、例えば、連絡先リスト１１６中の１つ又は複数の連絡先の各々について、当該連絡先（及び、したがって対応する通信源）が仕事又は個人の関連する環境の種類を有するべきかをユーザーが指定することを可能にする。
【００３３】
[0035]代替的に、通信源に対する環境の種類の関連付けを異なる方法で行うことができる。例えば、通信モジュール１０６はソーシャルネットワークサービスなどのリモートサービスからデータを得ることができる。通信モジュール１０６は、ソーシャルネットワークサービスから直接的に又は仲介データサービスを介して、データを得ることができる。このリモートサービスは、どの通信源又は連絡先がどの環境の種類に関連付けられるべきかについての１つ又は複数の記録を保持することができ、これらの記録は通信モジュール１０６によって得ることができる。これらの記録が得られた後、連絡先リスト１１６中の連絡先は従って更新される。例えば、モバイル通信装置１０２のユーザーは、ソーシャルネットワークサービス上で友人のリストを保持してもよい。通信モジュール１０６（又は、代替的に装置１０２中の別のモジュール）は、ソーシャルネットワークサービスにアクセスし、友人のリストを得ることができ、連絡先リスト１１６中の連絡先でもある友人のリスト中の各友人について、個人の環境の種類に関連付けられるべき連絡先を更新することができる。
【００３４】
[0036]さらに、本明細書におけるいくつかの説明が連絡先リスト１１６を装置１０２上に格納されているもの、したがってモバイル通信装置１０２上のローカルの連絡先リストとして言及しており、代替的に、連絡先リスト１１６は１つ又は複数のリモートサービス上で保持することができることに留意されたい。例えば、連絡先リスト１１６は装置１０２上ではなくソーシャルネットワークサービス上で保持することができる。
【００３５】
[0037]通信が通信源（例えば、装置１０４）から受信される場合、その通信源の識別子は通信モジュール１０６によって決定される。モジュール１０６は異なる方法で識別子を決定することができる。１つ又は複数の実施例において、識別子は、通信の一部として（例えば、装置１０４の電話番号又は他のアドレスが通信の一部として含まれる）、又は通信に関連付けられるメタデータに含まれる。他の実施例において、通信モジュール１０６は、通信に含まれる情報に基づいて識別子を決定する（例えば、上述のようにユーザーのユーザー識別子を決定する）。
【００３６】
[0038]通信源の識別子は決定モジュール１２２に提供される。決定モジュール１２２は、連絡先リスト１１６から、識別された通信源に関連付けられる環境の種類を得る。決定モジュール１２２はまた、現在環境種類インジケーター１２４を得る。この情報に基づいて、決定モジュール１２２は、どの通知装置１０２が受信された通信について提示すべきであるかを決定し、（もしあれば）どの通知装置１０２が提示すべきであるかを識別する通知決定を出力する。
【００３７】
[0039]図２は、１つ又は複数の実施例による、通知決定を生成する例示的なシステム２００を示すブロック図である。システム２００は、図１の決定モジュール１２２と類似する、受信された通信のためにモバイル通信装置がどの通知を提示すべきかを決定する決定モジュール２０２を含む。
【００３８】
[0040]決定モジュール２０２は、上述のように通信源の識別子である通信源識別子２０４を得る。連絡先リスト２０６は図１の連絡先リスト１１６と類似し、識別子及び関連する環境の種類を各々が有する複数の連絡先を含む。通信源識別子２０４を考慮して、決定モジュール２０２は、その識別子を有するコンタクト情報を得て、その連絡先（したがって通信が受信された通信源）に関連付けられる環境の種類を得る。
【００３９】
[0041]決定モジュール２０２はまた、現在環境インジケーター（例えば、図１の現在環境インジケーター１２４）から現在の環境の種類２０８を得る。決定モジュール２０２は、現在の環境の種類を、通信が受信された通信源に関連付けられる環境の種類と比較する。決定モジュール２０２は、２つの環境の種類が一致するかどうかに基づいて、モバイル通信によって示されるべき通信（もしあれば）の通知の種類を示す通知決定２１０を出力する。異なる種類の通知はより詳細に以下に説明される。
【００４０】
[0042]通信源に関連付けられる環境の種類が現在の環境の種類によって満たされる場合、２つの環境の種類は一致する。例えば、現在の環境の種類が仕事である場合、通信源に関連付けられる環境の種類が仕事又は両方である場合、２つの環境の種類は一致するが、通信源に関連付けられる環境の種類が個人（私事）の場合、２つの環境の種類は一致しない。別の例として、現在の環境の種類が個人の場合には、通信源と関連付けられる環境の種類が個人又は両方である場合、２つの環境の種類は一致するが、通信源と関連付けられる環境の種類が仕事である場合、２つの環境の種類は一致しない。
【００４１】
[0043]図１に戻り、通知モジュール１０８は、（決定モジュール１２２から出力される通知決定に依存して）受信された通信の通知を提示するようにＵＩモジュール１１２に通知してもよいし、通知しなくてもよい。受信された通信についての異なる種類の通知を提示することができる。１つ又は複数の実施例において、これらの異なる種類は最初の通知及び残りの通知（置き去り通知、leave-behind notification）を含む。通信が受信される場合、ピンとも呼ばれる最初の通知は、通信をユーザーに通知する。ブレッドクラム（breadcrumb）とも呼ばれる残りの通知は、通信が受信されたことをユーザーに通知する。
【００４２】
[0044]通常、通信が受信される場合、通信の受信の最初の通知は、通信の存在についてユーザーに警告するために装置１０２によって提示される。この最初の通知は、例えば、通信の可聴の通知を再生すること（例えば、着信音を再生すること）、触覚通知を提示すること（例えば、モバイル通信装置を振動させること）、画面１１４上に通信源について記述する情報を表示することなどのうちの１つ又は複数を含む。その後、ユーザーは、通信が受信される場合に、通信に応答する（例えば、音声通話に答える、テキストメッセージに返事を送るなど）ことを決定することができる。代替的に、通信が受信される場合に当該通信に応答するのではなく、ユーザーは最初の通知を延期するか又は捨てる要求を入力することができ、その場合には、装置１０２は、最初の通知の提示を止める（例えば、着信音を再生することをやめる）。ユーザーはまた、最初の通知を無視又は逃してもよく、その場合には、装置１０２は、特定の時間の後に最初の通知の提示を止める。
【００４３】
[0045]通信が受信された場合、通信が受信され、ユーザーによって応答されなかったことをユーザーに知らせるために、残りの通知が装置１０２によって提示される。応答しない理由は、ユーザーが最初の通知を延期したか又は捨てたこと、最初の通知を無視したこと、最初の通知を逃したことなどであってもよい。この残りの通知は異なる形式をとることができ、しばしば視覚的な通知（例えば、画面１１４に表示される特定のアイコン又は他の情報）である。この残りの通知はまた、受信された時にどれだけの通信がユーザーによって受信され、応答されなかったか（例えば、逃した音声通話の数及び／又は逃したテキストメッセージの数）を識別することができる。
【００４４】
[0046]通信源に関連付けられる環境の種類が現在の環境の種類によって満たされると決定モジュール１２２が決定する場合、通知モジュール１０８は、通信の最初の通知（オプションとして残りの通知）が装置１０２によって提示されるべきであることをＵＩモジュール１１２に示す。その後、ユーザーは、自分が望むように、通信に応答する（例えば、音声通話に答える、最初の通知を捨てる、最初の通知を無視するなど）ことができる。上述のように、通信が受信される場合にユーザーが通信に応答するかどうかに基づいて、残りの通知は、オプションとして、ＵＩモジュール１１２によって提示される。
【００４５】
[0047]しかし、通信源に関連付けられる環境の種類が現在の環境の種類によって満たされないと決定モジュール１２２が決定する場合、通知モジュール１０８は、ＵＩモジュール１１２が最初の通知を示すことを差し控えるべきであることをＵＩモジュール１１２に示す（したがって、通信の最初の通知は装置１０２によって示されない）。したがって、モバイル通信装置は、着信音を再生せず、振動せず、画面１１４上に通信源について記述する情報を表示しない。１つ又は複数の実施例において、通信源に関連付けられる環境の種類が現在の環境の種類によって満たされないと決定モジュール１２２が決定する場合、通知モジュール１０８はまた、通信の残りの通知が装置１０２によって提示されるべきでないことをＵＩモジュール１１２に示す。代替の実施例において、通知モジュール１０８は、通信の残りの通知が装置１０２によって提示されるべきであることをＵＩモジュール１１２に示す。したがって、そのような代替の実施例においては、たとえ通信の最初の通知が装置１０２によって示されなかったとしても、及びたとえ通信源に関連付けられる環境の種類が現在の環境の種類によって満たされなくても、通信の残りの通知は装置１０２によって示される。
【００４６】
[0048]たとえ通信の通知がモバイル通信装置１０２によって示されなくても、通信がいまだ受信されることに留意されたい。例えば、テキストメッセージ又はＩＭメッセージは、モバイル通信装置１０２によって受信して格納することができ、通信源に関連付けられる環境の種類がアクセスの時における現在の環境の種類によって満たされるかどうかにかかわらず、ユーザーが続いてメッセージにアクセスすることを可能にする。別の例として、音声通話いまだ（装置１０２又はリモートサービス上の）ボイスメール・システムによって応答することができ、ボイスメール・メッセージとして格納することができ、通信源に関連付けられる環境の種類が検索（取り出し）の時における現在の環境の種類によって満たされるかどうかにかかわらず、ユーザーが、続いてボイスメール・メッセージを検索する（取り出す）ことを可能にする。
【００４７】
[0049]さらに、１つ又は複数の実施例において、モバイル通信装置が通信の最初の通知を提示することを差し控えるべきであると決定モジュール１２２からの通知決定出力が示す場合、通知モジュール１０８は、通信モジュール１０６に当該通知決定出力の指示を提供する。通知決定に応答して、通信モジュール１０６は、通信が受信された通信源に対して応答を提供する。この応答は、例えば、装置１０２のユーザーが現在利用不能であることを示すテキスト（又は他の種類のコンテンツ）メッセージ、装置１０２のユーザーが現在利用不能であることを示すボイスメール・メッセージなどであってもよい。そのような応答の特定の内容は通信モジュール１０６によって予め決定することができ、又は代替的に装置１０２のユーザーによって予め選択することができる（又はそうでなければ以前に入力することができる）。さらに、通信モジュール１０６はそれ自体、当該応答を提供することができ、又は代替的に、応答を提供するためにリモートサービス（例えば、ボイスメール・サービス）と通信することができる。
【００４８】
[0050]さらに、１つ又は複数の実施例において、ＵＩモジュール１１２は、現在環境種類インジケーター１２４が変更されるたびに（例えば、通知モジュール１０８又は代替的に装置１０２の別のモジュールによって）通知を受ける。現在環境種類インジケーター１２４が変更されることに応答して、ＵＩモジュール１１２は、装置１０２によって提示されるユーザーインターフェースを変更するために１つ又は複数の動作をとることができる。これらの動作は、ＵＩモジュール１１２によって提示される情報を変更することのほか、情報がＵＩモジュール１１２によって提示される方法を変更することを含む、様々な異なる形式をとることができる。
【００４９】
[0051]ＵＩモジュール１１２によって提示される情報は、様々な異なる方法で変更することができる。例えば、異なるアプリケーションへのショートカットを表示することができ、異なるＲＳＳ（Really Simple Syndication）フィードへのショートカットを表示することができ、画面１１４上で背景又は壁紙として表示される画像を変更することができ、カレンダーの見方（例えば、月ごとに見る、週ごとに見る、日ごとに見る）を変更することができる。さらに、最も最近に使用された項目、一般に使用される項目、又は好きな項目についての異なるリストを、異なる環境の種類、及び現在環境種類インジケーター１２４に基づいてＵＩモジュール１１２（及び／又は装置１０２の他のモジュール）によって選択され使用される適切なリストに対して、保持することができる。例えば、リスト１１６が装置１０２のユーザーによってアクセスされる場合に連絡先リスト１１６中のどの連絡先が最初に表示されるかを変更することができ、どのウェブサイトのリンクがお気に入りとしてリストされるかを変更することができる。
【００５０】
[0052]表示される情報におけるこの変更は、様々な異なる方法で実施することができる。１つ又は複数の実施例において、モバイル通信装置１０２は、オペレーティング・システム登録ストア（例えば、オペレーティング・システム・レジストリー）又は他のストアなどの情報ストア（図示せず）を保持する。どの情報がどの現在環境種類インジケーターについて表示されるべきであるかについての指示はこの情報ストアに保持され、どの情報が特定の現在環境種類インジケーターについて表示されるべきであるかを決定するためにＵＩモジュール１１２（及び／又はモバイル通信装置１０２の他のモジュール）によってアクセスされる。
【００５１】
[0053]情報がＵＩモジュール１１２によって示される方法もまた様々な異なる方法で変更することができる。例えば、情報は、異なる色、異なる種類の境界、異なるフォントタイプ、異なるフォントサイズなどを使用して表示することができる。別の例として、画面１１４上の表示の方向を（例えば、横方向から縦方向に、又はその逆に）変更することができ、情報は、画面に表示される状態から音声認識可能に再生される状態へ変更することができる。情報が示される方法のこの変更は、特定の現在環境種類インジケーターについて情報がどのように表示されるべきであるかについての指示が保持される（上述のような）情報ストアを使用することなどの異なる方法で実施することができる。
【００５２】
[0054]連絡先が連絡先リスト１１６に含まれていない通信源から通信が受信される状況が発生する場合があることに留意すべきである。そのような状況は異なる方法で扱うことができる。１つ又は複数の実施例において、通信源についてのデフォルトの関連する環境の種類は通信源に関連付けられる環境の種類として使用される。他の実施例において、他の環境の種類が通信源に関連付けられてもよい（例えば、装置１０２のユーザーによって選択されたデフォルトの通信の種類）。
【００５３】
[0055]通信源に関連付けられる環境の種類が通信が受信された時における現在の環境の種類によって満たされなかったために、通信の通知が装置１０２によって示されないという状況が発生する場合があることに留意すべきである。そのような状況で、通知モジュール１０８（又は代替的に装置１０２の別のモジュール）は、それらの通信の記録を保持する。続いて、通信源に関連付けられる環境の種類が現在の環境の種類によって満たされるように装置１０２の現在の環境の種類が変更される場合、それらの記録された通信の通知はＵＩモジュール１１２によって提示される。
【００５４】
[0056]例えば、２つの音声通話が、関連付けられた仕事の環境の種類を各々が有する２つの異なる装置１０４から受信される一方、装置１０２の現在の環境の種類が個人であると仮定する。これらの２つの音声通話の最初の通知及び残りの通知は、通信源に関連付けられる環境の種類が現在の環境の種類によって満たされないので、ＵＩモジュール１１２によって提示されない。しかし、ユーザーがその後に装置１０２の現在の環境の種類を仕事へと変更する場合、記録された通信について通信源に関連付けられる環境の種類が現在の環境の種類によって満たされるので、ＵＩモジュール１１２はこれらの２つの音声通話の残りの通知を表示する（又は提示する）。
【００５５】
[0057]図３は、１つ又は複数の実施例による、モバイル通信装置のためのユーザーが選択可能な環境を実施する例示的な処理３００を示すフローチャートである。処理３００は、図１の装置１０２などのモバイル通信装置によって行われ、ソフトウェア、ファームウェア、ハードウェア又はそれらの組み合わせで実施することができる。図３に示された順に動作を行う必要はないが、処理３００は１組の動作として示される。処理３００は、モバイル通信装置のためのユーザーが選択可能な環境の例示的な処理である；モバイル通信装置のためのユーザーが選択可能な環境についての追加の説明は、異なる図に関して本明細書に含まれる。
【００５６】
[0058]処理３００では、モバイル通信装置において、通信は通信源から受信される（動作３０２）。上述のように、この通信は、音声通話、テキスト（又は他のコンテンツタイプ）メッセージなどの様々な異なる形式をとることができる。
【００５７】
[0059]通信源に関連付けられる環境の種類の指示が得られる（動作３０４）。この指示は、例えば、上述のようにローカルの連絡先リスト又はリモート連絡先リストから得ることができる。
【００５８】
[0060]通信源に関連付けられる環境の種類は、モバイル通信装置の現在の環境の種類と比較される（動作３０６）。その後、処理３００は、動作３０６において比較された２つの環境の種類が一致するかどうかに基づいて進む（動作３０８）。
【００５９】
[0061]動作３０６において比較された２つの環境の種類が一致する場合、受信された通信の最初の通知と残りの通知が提示される（動作３１０）。例えば、処理３００を実施する装置に対する着信音が再生され、逃した音声通話の数についての指示が表示される。提示された特定の最初の通知及び残りの通知は、（例えば、処理３００を実施する装置のユーザー設定に基づいたり、通信の種類（例えば、テキストメッセージ及び音声通話に対する異なる着信音）に基づいたりして）変わることができる。上述のようにユーザーが通信に応答する（例えば、音声通話に答える）場合、残りの通知を提示する必要がないことが認識されるべきである。
【００６０】
[0062]しかし、動作３０６において比較された２つの環境の種類が一致しない場合、装置は、通信の最初の通知及び残りの通知を提示することを差し控える（動作３１２）。代替的に、上述のように、たとえ通信の最初の通知が提示されなくても、通信の残りの通知は、オプションとして動作３１２において提示することができる。
【００６１】
[0063]図４は、１つ又は複数の実施例による、モバイル通信装置のためのユーザーが選択可能な環境を実施する例示的な処理４００を示すフローチャートである。処理４００は、図１の装置１０２などのモバイル通信装置によって行われ、ソフトウェア、ファームウェア、ハードウェア又はその組み合わせで実施することができる。処理４００は１組の動作として示されるが、図４に示された順に動作を行う必要はない。処理４００は、モバイル通信装置のためのユーザーが選択可能な環境の例示的な処理である；モバイル通信装置のためのユーザーが選択可能な環境についての追加の説明は、異なる図に関して本明細書に含まれる。
【００６２】
[0064]処理４００において、新たな現在の環境の種類の指示が受信される（動作４０２）。この現在の環境の種類は上述のように様々な異なる環境の種類であってもよい。上述のように、当該指示は現在の環境の種類についてのユーザー選択（例えば、特定のボタン又はキーについてのユーザー選択、特定の環境の種類に対応する特定の時間又は位置についてのユーザー選択など）に応じて受信される。指示に基づいて、現在環境インジケーターは新たな現在の環境の種類を反映するために更新される（動作４０４）。
【００６３】
[0065]新たな現在の環境の種類について表示されるべき情報が識別される（動作４０６）。特定の環境の種類について表示されるべき情報は上述のように異なる方法で決定することができる。さらに、新たな現在の環境の種類について情報を表示する方法が識別される（動作４０８）。特定の環境の種類について情報が表示されるべき方法は、上述のように異なる方法で決定することができる。
【００６４】
[0066]動作４０６において識別された情報は、動作４０８で識別された方法で表示される（動作４１０）。さらに、受信された通信の通知（最初の通知及び／又は残りの通知）が新たな現在の環境の種類に基づいて提示される（動作４１２）。最初の通知及び／又は残りの通知が特定の通信について提示されるか否かは、新たな現在の環境の種類及び上述のような通信源に関連付けられる環境の種類に基づく。
【００６５】
[0067]したがって、本明細書における記載からわかるように、ユーザーによる単純な選択の結果として、様々な変更をモバイル通信装置に対して行うことができる。例えば、ユーザーは、個人環境の種類から仕事環境の種類へと迅速かつ容易にスイッチを作動させることができ、自分の装置に対して行われる多くの変更をもたらす。これらの変更は、仕事の連絡先（しかし個人的な連絡先ではない）からの通話が現在自分の装置上で鳴ること、仕事の連絡先（しかし個人的な連絡先ではない）からのテキストメッセージが現在自分の装置上で鳴り、逃したメッセージ表示を残すこと、自分が仕事に使用するアプリケーションへのショートカットが現在自分の装置に表示されることなどを含む。ユーザーは、次いで、仕事環境の種類から個人環境の種類へとスイッチを作動させることによって、迅速かつ容易に個人環境の種類へと戻すことができる。このように個人環境の種類へと戻した後、自分の仕事の連絡先からの通話はもはや自分の装置上で鳴らず、逃した通話の表示を残さないが、個人的な連絡先からの通話が自分の装置上で鳴り、逃した通話の表示を残し、仕事の連絡先からのテキストメッセージはもはや自分の装置上で鳴らず、逃したメッセージの表示を残さないが、個人的な連絡先からのテキストメッセージは自分の装置上で鳴り、逃したメッセージ表示を残す。
【００６６】
[0068]図５は、１つ又は複数の実施例による、モバイル通信装置のためのユーザーが選択可能な環境を実施するように構成することができる例示的な装置５００を示す。装置５００は、例えば、図１のモバイル通信装置１０２であってもよい。
【００６７】
[0069]装置５００は、１つ又は複数のプロセッサーもしくは演算処理装置５０２、１つ又は複数のメモリー及び／もしくは記憶コンポーネント５０６を含み得る１つ又は複数のコンピューター読み取り可能な媒体５０４、１つ又は複数の入出力（Ｉ／Ｏ）装置５０８、並びに様々なコンポーネント及び装置が互いに通信することを可能にするバス５１０を含む。コンピューター読み取り可能な媒体５０４及び／又は１つもしくは複数のＩ／Ｏ装置５０８は、その一部として装置５００に含まれてもよいし、又は代替的に装置５００に結合されてもよい。バス５１０は、様々な異なるバスアーキテクチャーを使用する、メモリーバス又はメモリーコントローラー、周辺バス、アクセラレイテッド・グラフィック・ポート、プロセッサー又はローカルバスなどを含む、いくつかの種類のバス構造のうちの１つ又は複数を表す。バス５１０は有線及び／又は無線のバスを含んでもよい。
【００６８】
[0070]メモリー／記憶コンポーネント５０６は１つ又は複数のコンピューター記憶媒体を表す。コンポーネント５０６は、（ランダム・アクセス・メモリー（ＲＡＭ）などの）揮発性の媒体及び／又は（読み取り専用メモリー（ＲＯＭ）、フラッシュメモリー、光ディスク、磁気ディスクなどの）不揮発性の媒体を含んでもよい。コンポーネント５０６は、固定媒体（例えば、ＲＡＭ、ＲＯＭ、固定ハードドライブなど）のほか、取り外し可能な媒体（例えば、フラッシュメモリードライブ、取り外し可能なハードドライブ、光ディスクなど）を含んでもよい。
【００６９】
[0071]本明細書において記載された技術は、１つ又は複数の演算処理装置５０２によって実行される命令によって、ソフトウェアで実施することができる。演算処理装置５０２、演算処理装置５０２の様々なキャッシュメモリー、装置５００の他のキャッシュメモリー（図示せず）、他のコンピューター読み取り可能な媒体などの、装置５００の異なるコンポーネントに、異なる命令を格納することができることが認識されるべきである。さらに、命令が装置５００に格納される位置が時間とともに変化し得ることが認識されるべきである。
【００７０】
[0072]１つ又は複数の入出力装置５０８は、ユーザーが、装置５００へコマンド及び情報を入力することを可能にし、また、情報がユーザー及び／又は他のコンポーネントもしくは装置に提示されることを可能にする。入力装置の例は、キーボード、カーソル制御装置（例えば、マウス）、マイクロホン、スキャナーなどを含む。出力装置の例は、表示装置（例えば、モニター又はプロジェクター）、スピーカー、プリンター、ネットワークカードなどを含む。
【００７１】
[0073]様々な技術が、ソフトウェア又はプログラムモジュールの一般的なコンテキストにおいて本明細書に記載されてもよい。一般に、ソフトウェアは、特定のタスクを実行し又は特定の抽象データ型を実行する、ルーチン、プログラム、オブジェクト、コンポーネント、データ構造などを含む。これらのモジュール及び技術の実施例は、幾つかの形式のコンピューター読み取り可能な媒体上に格納されてもよいし、又はそれを介して送信されてもよい。コンピューター読み取り可能な媒体は、装置によってアクセスすることができる任意の利用可能な媒体であってもよい。限定ではなく例として、コンピューター読み取り可能な媒体は、「コンピューター記憶媒体」及び「通信媒体」を含んでもよい。
【００７２】
[0074］「コンピューター記憶媒体」は、コンピューター読み取り可能な命令、データ構造、プログラムモジュール又は他のデータなどの情報の記憶のために任意の方法又は技術で実施される、揮発性及び不揮発性、取り外し可能な及び取り外し不能な媒体を含む。コンピューター記憶媒体は、所望の情報を格納するために使用することができ、コンピューターによってアクセスすることができる、ＲＡＭ、ＲＯＭ、ＥＥＰＲＯＭ、フラッシュメモリーもしくは他のメモリー技術、ＣＤ−ＲＯＭ、デジタル・バーサタイル・ディスク（ＤＶＤ）もしくは他の光学記憶装置、磁気カセット、磁気テープ、磁気ディスク記憶装置もしくは他の磁気記憶装置、又は任意の他の媒体を含むがこれらに限定されない。
【００７３】
[0075］「通信媒体」は、通常、搬送波又は他の移送機構などの変調されたデータ信号に、コンピューター読み取り可能な命令、データ構造、プログラムモジュール又は他のデータを具体化する。通信媒体はまた、任意の情報配信媒体を含む。「変調されたデータ信号」という用語は、情報を信号中に符号化するような方法で設定又は変化されたその特徴のうち１つ以上の特徴を有する信号を意味する。限定でない例として、通信媒体は、有線ネットワーク又は直接的な有線接続などの有線の媒体、及び音響、ＲＦ、赤外線及び他の無線媒体などの無線媒体を含む。上記のもののうちの任意のものの組み合わせもまた、コンピューター読み取り可能な媒体の範囲内に含まれる。
【００７４】
[0076]一般に、本明細書に記載された機能又は技術のうちの任意のものは、ソフトウェア、ファームウェア、ハードウェア（例えば、固定論理回路）、マニュアル処理又はこれらの実施例の組み合わせを使用して実施することができる。本明細書において使用されるとき、「モジュール」及び「コンポーネント」という用語は、一般に、ソフトウェア、ファームウェア、ハードウェア又はこれらの組み合わせを表す。ソフトウェア実施の場合には、モジュール又はコンポーネントは、プロセッサー（例えば、ＣＰＵ）上で実行されると指定されたタスクを行うプログラムコードを表す。プログラムコードは１つ以上のコンピューター読み取り可能なメモリー装置に格納することができ、そのさらなる記載は図５に関して見ることができる。本明細書に記載されたモバイル通信装置のためのユーザーが選択可能な環境の技術の特徴はプラットフォーム無依存であって、これは、当該技術を、様々なプロセッサーを有する様々な商用コンピューティングプラットフォーム上で実施することができることを意味する。
【００７５】
[0077]主題は構造的特徴及び／又は方法論の行為に特有の言葉で述べられてきたが、添付の特許請求の範囲において定義された主題が上述の特定の特徴又は動作に必ずしも限定されないことが理解されるべきである。より正確に言えば、上述の特定の特徴及び動作は、特許請求の範囲を実施する例示的な形式として開示される。
【図１】
2013505637.tif 000003
【図２】
2013505637.tif 000004
【図３】
2013505637.tif 000005
【図４】
2013505637.tif 000006
【図５】
2013505637.tif 000007
【国際調査報告】
2013505637.tif 000008
2013505637.tif 000009